【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
ボールジョイント組立体であって、
第１端部と前記第１端部の反対側の第２端部とを有するハウジングであって、キャビティを少なくとも部分的に規定する、ハウジングと、
前記キャビティ内に配置されたヘッド部分と、前記ヘッド部分に接続されたシャフトと、を含むボールスタッドであって、前記シャフトが、前記ハウジングの前記第２端部において開口部を通って延在する、ボールスタッドと、
前記ハウジングの前記第１端部において前記キャビティ内に配置されたボールレースであって、前記ボールレースが、内面を有し、前記ボールレースの一部分が、前記ハウジングの前記第２端部において前記開口部を通り過ぎるように延在する、ボールレースと、
前記ボールレースの前記内面と前記ヘッド部分の外面との間に規定された接触面と、
前記接触面内に配置された固体摩擦コーティングであって、前記固体摩擦コーティングが、前記ボールレースの前記内面及び前記ヘッド部分の前記外面のうちの少なくとも一方に連結され、前記固体摩擦コーティングが、１７０Ｎ／ｍｍ２から２３０Ｎ／ｍｍ２の硬度を有しており、前記ハウジングの中心軸が、前記ハウジングの前記第１端部と前記ハウジングの前記第２端部との間に規定され、前記中心軸が、前記ボールジョイントの中心線を通って延伸し、前記ハウジングの内面と前記中心軸との間の角度Ａ２が、８度から１５度の間であり、前記ボールレースの下方部分と前記中心軸との間の角度Ｂ２が、８度から１５度の間であり、第１間隙が、前記角度Ｂ２と前記角度Ａ２との間の角度差を規定する、固体摩擦コーティングと、
を備えることを特徴とするボールジョイント組立体。
【請求項２】
前記固体摩擦コーティングが、前記ボールレースの前記内面に塗布されていることを特徴とする請求項１に記載のボールジョイント組立体。
【請求項３】
前記固体摩擦コーティングが、二酸化ケイ素及びポリテトラフルオロエチレンの混合物を含んでいることを特徴とする請求項１に記載のボールジョイント組立体。
【請求項４】
前記ボールレースが、前記ボール部分の第１部分周りに配置された第１ボールレースセクションと、前記ボール部分の第２部分周りに配置された第２ボールレースセクションと、を備えていることを特徴とする請求項１に記載のボールジョイント組立体。
【請求項５】
前記ボールスタッドの前記外面と前記ボールレースの前記内面との間の摩擦係数が、０．０８から０．２であることを特徴とする請求項１に記載のボールジョイント組立体。
【請求項６】
前記ボールジョイント組立体が、前記キャビティ内に配置されたピストンをさらに備え、前記ピストンが、前記ハウジングの第１端部において開口部をシールするように構成され、前記ピストンの内面と前記中心軸との間の角度Ａ１が、８度から１５度の間であり、前記ボールレースの上方部分と前記中心軸との間の角度Ｂ１が、８度から１５度の間であることを特徴とする請求項１に記載のボールジョイント組立体。
【請求項７】
第２間隙が、前記角度Ｂ１と前記角度Ａ１との間の角度差を規定することを特徴とする請求項６に記載のボールジョイント組立体。
【請求項８】
ボールジョイント組立体であって、
第１端部と前記第１端部の反対側の第２端部とを有するハウジングであって、キャビティを少なくとも部分的に規定する、ハウジングと、
前記キャビティ内に配置されたヘッド部分と、前記ヘッド部分に接続されたシャフトと、を含むボールスタッドであって、前記シャフトが、前記ハウジングの前記第２端部において開口部を通って延在する、ボールスタッドと、
前記キャビティ内に配置されたボールレースであって、前記ボールレースが、前記ボールスタッドの前記ヘッド部分の少なくとも一部分周りに配置され、前記ボールレースの一部分が、前記ハウジングの前記第２端部において前記開口部を通り過ぎるように延在する、ボールレースと、
前記ボールレースの内面及び前記ボールスタッドの前記ヘッド部分の外面のうちの少なくとも一方に塗布された固体摩擦コーティングと、
前記キャビティ内に配置されたピストンであって、前記ピストンが、前記ハウジングの前記第１端部において開口部をシールするように構成され、前記ハウジングの中心軸が、前記ハウジングの前記第１端部と前記ハウジングの前記第２端部との間に規定され、前記中心軸が、前記ボールジョイントの中心線を通って且つ前記ピストンの外面と平行に延伸し、前記ピストンの内面と前記中心軸との間の角度Ａ１が、８度から１５度の間であり、前記ボールレースの上方部分と前記中心軸との間の角度Ｂ１が、８度から１５度の間であり、第１間隙が、前記角度Ｂ１と前記角度Ａ１との間の角度差を規定する、ピストンと、
を備えることを特徴とするボールジョイント組立体。
【請求項９】
前記ハウジングをシールするために、前記ピストンの前記外面周りに配置されたピストンリングをさらに備えていることを特徴とする請求項８に記載のボールジョイント組立体。
【請求項１０】
前記ハウジングの前記内面と前記中心軸との間の角度Ａ２が、８度から１５度の間であることを特徴とする請求項８に記載のボールジョイント組立体。
【請求項１１】
前記ボールレースの前記下方部分と前記中心軸との間の角度Ｂ２が、８度から１５度の間であることを特徴とする請求項１０に記載のボールジョイント組立体。
【請求項１２】
前記ボールレースが、前記ヘッド部分の第１部分周りに配置された第１ボールレース部分と、前記ヘッド部分の第２部分周りに配置された第２ボールレース部分と、を備えていることを特徴とする請求項８に記載のボールジョイント組立体。
【請求項１３】
前記第１ボールレース部分と前記中心軸との間の角度Ａ２が、８度から１５度の間であることを特徴とする請求項１２に記載のボールジョイント組立体。
【請求項１４】
前記第２ボールレース部分と前記中心軸との間の角度Ｂ２が、８度から１５度の間であることを特徴とする請求項１２に記載のボールジョイント組立体。
【請求項１５】
第２間隙が、前記角度Ｂ２と前記角度Ａ２との間の角度差を規定することを特徴とする請求項１１に記載のボールジョイント組立体。
【請求項１６】
ボールジョイントを組み立てる方法であって、
第１端部と前記第１端部の反対側の第２端部とを有するキャビティを少なくとも部分的に規定するようにハウジングを構成するステップと、
前記キャビティ内にボールスタッドのヘッド部分を配置するステップであって、前記ボールスタッドが、前記ヘッド部分から延在するシャフトを含む、ステップと、
前記シャフトが、前記ハウジングの前記第２端部において前記キャビティ内の開口部を通って延在するように、前記ボールスタッドの前記ヘッド部分の少なくとも一部分周りにボールレースを配置するステップと、
前記キャビティ内にピストンを配置するステップであって、前記ピストンが、前記ハウジングの第１端部において開口部をシールするように構成され、中心軸が、前記ハウジングの前記第１端部と前記ハウジングの前記第２端部との間に規定され、前記ボールジョイントの中心線を通って且つ前記ピストンの外面と平行に延伸する、ステップと、
を含み、
前記方法が、
前記ピストンの内面と前記中心軸との間に第１角度Ａ１を規定するように前記キャビティ内に前記ピストンを配置するステップと、
前記ハウジングの内面と前記中心軸との間に第２角度Ａ２を規定するステップと、
前記ボールレースの上方部分と前記中心軸との間に第３角度Ｂ１を且つ前記ボールレースの下方部分と前記中心軸との間に第４角度Ｂ２を規定するように、前記キャビティ内に前記ボールレースを配置するステップであって、第１間隙が、前記第３角度Ｂ１と前記第１角度Ａ１との間の角度差を規定し、第２間隙が、前記第４角度Ｂ２と前記第２角度Ａ２との間の角度差を規定する、ステップと、
をさらに含むことを特徴とする方法。
【請求項１７】
前記ボールレースの内面及び前記ボールスタッドの前記ヘッド部分の外面のうちの少なくとも一方に固体摩擦コーティングを塗布するステップをさらに含むことを特徴とする請求項１６に記載の方法。
【請求項１８】
キャビティを少なくとも部分的に規定するハウジングと、
前記キャビティ内に配置されたヘッド部分と、前記ヘッド部分から延在するシャフトと、を含むボールスタッドと、
前記キャビティ内に配置されたボールレースであって、前記ボールスタッドの前記ヘッド部分の少なくとも一部分周りに配置された、ボールレースと、
前記ボールレースの内面及び前記ボールスタッドの前記ヘッド部分の外面のうちの少なくとも一方に塗布された固体摩擦コーティングと、
前記キャビティ内に配置されたピストンであって、前記ハウジングの第１端部において開口部をシールするように構成された、ピストンと、
を備えるボールジョイント組立体であって、
前記ハウジングの中心軸が、前記ハウジングの前記第１端部と前記ハウジングにおける反対側の第２端部との間に規定され、前記中心軸が、前記ボールジョイントの中心線を通って且つ前記ピストンの外面と平行に延伸し、前記ピストンの内面と前記中心軸との間の第１角度Ａ１が８度から１５度の間であり、前記ハウジングの内面と前記中心軸との間の第２角度Ａ２が８度から１５度の間であり、前記ボールレースの上方部分と前記中心軸との間の第３角度Ｂ１が８度から１５度の間であり、前記ボールレースの下方部分と前記中心軸との間の第４角度Ｂ２が８度から１５度の間であり、第１間隙が、前記第３角度Ｂ１と前記第１角度Ａ１との間の角度差を規定し、第２間隙が、前記第４角度Ｂ２と前記第２角度Ａ２との間の角度差を規定していることを特徴とするボールジョイント組立体。
【請求項１９】
前記第１間隙が、−２度から２度の間であることを特徴とする請求項１８に記載のボールジョイント組立体。
【請求項２０】
前記第２間隙が、−２度から２度の間であることを特徴とする請求項１８に記載のボールジョイント組立体。
【請求項２１】
前記固体摩擦コーティングが、１５ミクロン以上且つ３０ミクロン以下である厚さを有することを特徴とする請求項１８に記載のボールジョイント組立体。
【請求項２２】
前記シャフトが、前記ハウジングの前記第２端部において開口部を通って延在し、前記ボールレースの一部分が、前記ハウジングの前記第２端部において前記開口部を通り過ぎるように延在することを特徴とする請求項１８に記載のボールジョイント組立体。